(57)【特許請求の範囲】
【請求項１】
梁の上下方向及び厚さ方向にそれぞれ所定の間隔をへだてて主筋(12)を配置し、この主筋(12)を囲む状態に形成したスタラップ筋(８)を梁の長手方向に所定間隔へだてて配置し、各スタラップ筋(８)を主筋(12)にそれぞれ連結固定して形成した梁用鉄筋の上側に主筋(12)と平行にフカシ主筋(15)を配置するフカシ筋の固定金物であって、
フカシ主筋(15)を保持するフカシ筋支持具(１)と、このフカシ筋支持具(１)に出退移動可能に連結されているベース部材(２)とからなり、
フカシ筋支持具(１)は縦向きに配置した棒鋼の上端部を斜め下向きに折り曲げ形成した後その折り曲げ先端部を上向きに折り曲げ形成することにより、その上端部を略Ｎ字型に形成し、その折り曲げ連出先端部分に位置するレ字部分をフカシ主筋(15)を下から支持するフカシ筋支持部(３)に構成してあり、
ベース部材(２)は下端部にスタラップ筋(８)の立ち上がり部分に係合するスタラップ筋巻掛部(９)を形成するとともに、中間部に梁用主筋(12)に上から係合する主筋係合部(13)を有する略Ｎ字型に形成したベース部材本体(４)と、巻掛部(９)を有しないベース部材本体(４)の立ち上がり部分の上端部に固定したフカシ筋支持具(１)との連結具(５)と、主筋係合部(13)と連結具(５)を固定した立ち上がり部分の下端との間でのベース部材本体(４)に固定した略逆Ｕ字型のスタラップ筋係合部(６)とで構成してあり、
フカシ筋支持具(１)のフカシ筋支持部(３)と、ベース部材(２)の主筋係合部(13)とを同一垂直線上に位置させたことを特徴とするフカシ筋の固定金物。
【発明の詳細な説明】
【０００１】
【発明の属する分野】
本発明は、建築物の梁部分にコンクリートを増し打ちする際に、梁用鉄筋の上側に配置するフカシ筋の固定金物に関する。
【０００２】
【従来の技術】
梁用鉄筋の上側にフカシ筋を配置する場合に使用するフカシ筋固定金物として、図６に示すものが知られている。これは、下端部にスタラップ筋の立ち上がり部分と嵌係合する係止部(50)を形成した棒鋼(51)の上端寄り部分に、線材の上下両端部を同一方向に折り曲げ連出し、上端部から折り曲げ連出した折り曲げ連出部の先端部を上方に、下端部から折り曲げ連出した折り曲げ連出部の先端部を下方にそれぞれ折り曲げ形成したスペーサ部材(52)を溶接固定し、棒鋼(51)とスペーサ部材(52)の遊端部との間に生じる空間のうち、下側空間を梁用鉄筋の主筋に上から係合する係合部に、上側空間をフカシ筋の主筋支持部にそれぞれ形成したものである。
【０００３】
【発明が解決しようとする課題】
ところが、従来のフカシ筋固定金物は、スペーサ部材の折り曲げ連出部間の間隔がフカシ筋の主筋の配設寸法になることから、このフカシ筋配設寸法が固定していた。このため、上下折り曲げ連出部同士間の寸法を相違するものを複数種用意しておかなければならないという不便さがあった。
【０００４】
また、このフカシ筋固定金物では、係合部を梁用主筋に乗せ、棒鋼下端部の係止部をスタラップ筋の立ち上がり部分に絡ませているだけであるから、フカシ主筋支持部に仮置きされているフカシ主筋を押し引きした際に係止部がスタラップ筋の立ち上がり部分から外れることがあるため、棒鋼部分をスタラップ筋の立ち上がり部分に結束線等で固定しなければならなかった。
本発明は、このような点に着目してなされたもので、フカシ筋の配設寸法を自由に変更することができ、かつ、セットするだけで安定するフカシ筋の固定金物を提供することを目的とする。
【０００５】
【課題を解決するための手段】
上述の目的を達成するために本発明は、フカシ筋の固定金物をフカシ筋を保持するフカシ筋支持具と、このフカシ筋支持具に出退移動可能に連結されているベース部材とで構成し、フカシ筋支持具は縦向きに配置した棒鋼の上端部を斜め下向きに折り曲げ形成した後その折り曲げ先端部を上向きに折り曲げ形成してその上端部を略Ｎ字型に形成し、その折り曲げ連出先端部分に位置するレ字部分をフカシ筋を下から支持するフカシ筋支持部に構成してあり、ベース部材は下端部にスタラップ筋の立ち上がり部分に係合するスタラップ筋巻掛部を形成するとともに、中間部に梁用主筋に上から係合する主筋係合部を有する略Ｎ字型に形成したベース部材本体と、巻掛部を有しないベース部材本体の立ち上がり部分の上端部に固定したフカシ筋支持具との連結具と、主筋係合部と連結具を固定した立ち上がり部分の下端との間でのベース部材本体に固定した略逆Ｕ字型のスタラップ筋係合部とで構成し、フカシ筋支持具のフカシ筋支持部と、ベース部材の主筋係合部とを同一垂直線上に位置させたことを特徴としている。
【０００６】
【作用】
本発明では、フカシ筋の主筋を支持するフカシ筋支持具と、梁用鉄筋に固定するベース部材とを出退移動可能に連結してあることから、ベース部材に対するフカシ筋支持具の出退量を調整して固定することにより、フカシ筋の配設高さを無段階に設定することができる。また、ベース部材は梁用鉄筋のスタラップ筋の横行部分と主筋にそれぞれ上から係合するとともに、スタラップ筋の立ち上がり部分に巻掛け係合していることから、安定して自立する。
【０００７】
【発明の実施の形態】
以下、本発明の実施形態を図面に基づき説明する。図１は全体の斜視図、図２は平面図、図３は要部正面図である。
このフカシ筋の固定金物は、異形棒鋼で形成したフカシ筋支持具(１)と、ミガキ棒鋼及び鋼板で構成したベース部材(２)とで構成されている。
【０００８】
フカシ筋支持具(１)は、縦向きに配置した上端部を斜め下向きに折り曲げ形成し、その折り曲げ連出部の先端部分を上向きに折り曲げることにより、略レ字型のアーム部分を上端に有する形状に形成し、アーム部の連出先端寄り部に位置するレ字型部分をフカシ筋支持部(３)に形成している。
【０００９】
ベース部材(２)はミガキ棒鋼で略Ｎ字型に形成したベース部材本体(４)と、鋼板をＵ字型に折り曲げ形成した連結具(５)とベース部材本体(４)の斜辺部分に固定した逆Ｕ字型のスタラップ筋係合部(６)とで構成してあり、ベース本体部分(４)の上端が連結されている縦杆部分(７)の下方遊端部にスタラップ筋(８)の立ち上がり部分に巻掛け係合するスタラップ筋巻掛部(９)を形成するとともに、下端が連結されている縦杆部分(10)の上方遊端部を連結具(５)の対向辺間に挿入して溶着固定してある。そして、両縦杆部分(７)(10)を連結している斜辺部分(11)とスタラップ筋巻掛部(９)を形成している縦杆(７)との連結部分を梁用鉄筋を構成している主筋(12)に上から係合する主筋係合部(13)に形成してある。なお、連結具(５)には、固定用のネジ(14)が装着してある。
【００１０】
そして、フカシ筋支持具(１)をベース部材(２)の連結具(５)の対向辺間に挿入固定した状態では、ベース部材本体(４)の主筋係合部(13)とフカシ筋支持具(１)のフカシ筋支持部(３)が同一垂直線内に位置するようにフカシ筋支持具(１)のアーム部分の連出長さとベース部材本体部分(４)の連出長さを設定してある。
【００１１】
このフカシ筋の固定金物は、図４及び図５に示すように、梁の長手方向に沿って高さ方向及び厚さ方向にそれぞれ所定間隔へだてて配置した主筋(引張鉄筋)(12)と、この各主筋(12)を取り囲む状態で梁の長手方向に所定ピッチで配置したスタラップ筋(８)とで構成されている梁用鉄筋の上方にフカシ筋を組む場合に使用されるものであり、特に、フカシ筋の主筋(15)を梁用鉄筋の主筋(12)の上方に平行な状態で支持するために使用される。
【００１２】
そして、その使用に際しては、ベース部材(２)での主筋係合部(13)とフカシ筋支持具(１)のフカシ筋支持部(３)との間隔を設定したのち、連結具(５)の固定用ネジ(14)を締め込んで設定間隔を固定する。フカシ筋支持具(１)を固定したベース部材(２)を梁用鉄筋のスタラップ筋配設部で上面コーナー部に配置し、ベース部材本体部分(４)の主筋係合部(13)を梁用鉄筋の主筋(12)に、また、スタラップ筋係合部(６)を梁用鉄筋のスタラップ筋(８)での横行部分にそれぞれ上から装着するとともに、ベース部材本体部分(４)のスタラップ筋巻掛部(９)をスタラップ筋(８)の立ち上がり部分に巻掛け係合させて、フカシ筋固定金物を梁用鉄筋に自立支持させる。
【００１３】
梁用鉄筋に支持されているフカシ筋支持具(１)のフカシ支持部(３)にフカシ主筋(15)を載置し、このフカシ主筋(15)と梁用スタラップ筋(８)にフカシスタラップ筋(16)を結束固定する。このとき、フカシ筋支持具(１)のフカシ支持部(３)はベース部材本体部分(４)に形成した主筋係合部(13)の同一垂直線上に位置している。
【００１４】
【発明の効果】
本発明のフカシ筋固定金物を使用すると、フカシ筋の高さを任意に設定することができるうえ、フカシ固定金物が梁用鉄筋を構成している主筋とスタラップ筋に三カ所で支持されることから、フカシ筋固定金物は梁用鉄筋に装着するだけで安定して支持され、フカシ筋の配筋作業を楽に行うことができる。
【図面の簡単な説明】
【図１】全体の斜視図である。
【図２】平面図である。
【図３】要部正面図である。
【図４】使用状態を示す斜視図である。
【図５】使用状態での正面図である。
【図６】公知のフカシ筋固定金物の斜視図である。
【符号の説明】
１…フカシ筋支持具、２…ベース部材、３…フカシ筋支持部、４…ベース部材本体、５…連結具、６…スタラップ筋係合部、８…スタラップ筋、９…スタラップ筋巻掛部、12…梁用主筋、13…主筋係合部、15…フカシ主筋。
【図１】
0003727104.tif 000002
【図２】
0003727104.tif 000003
【図３】
0003727104.tif 000004
【図４】
0003727104.tif 000005
【図５】
0003727104.tif 000006
【図６】
0003727104.tif 000007